(57)【要約】【課題】  報知による音の聞き間違えや聞き逃しを低減すること。【解決手段】放射線に応じた信号を生成するための画素アレイを備えた放射線検出手段と、発音による報知を行う報知手段とを有する放射線撮影装置は、放射線撮影装置の状態に応じて発生する複数の報知イベントを検出する検出部と、複数の報知イベントのそれぞれに設定されている優先度に基づいて、前記報知手段による報知を制御する制御部と、を備える。【選択図】図４
2018061782.tif 000002
【特許請求の範囲】
【請求項１】
放射線に応じた信号を生成するための画素アレイを備えた放射線検出手段と、発音による報知を行う報知手段とを有する放射線撮影装置であって、
前記放射線撮影装置の状態に応じて発生する複数の報知イベントを検出する検出手段と、
前記複数の報知イベントのそれぞれに設定されている優先度に基づいて、前記報知手段による報知を制御する制御手段と、
を備えることを特徴とする放射線撮影装置。
【請求項２】
前記制御手段が、報知イベントに対応付けられている第一の音を前記報知手段から発音させている間に、前記報知イベントの優先度に比べて高い優先度の報知イベントが検出された場合、
前記制御手段は、前記第一の音の発音の発音時間を、予め設定されている発音時間よりも短くするように前記報知手段を制御することを特徴とする請求項１に記載の放射線撮影装置。
【請求項３】
前記制御手段は、予め設定されている発音時間の途中で前記第一の音の発音を終了させて、前記高い優先度の報知イベントに対応付けられている第二の音を発音するように前記報知手段を制御することを特徴とする請求項２に記載の放射線撮影装置。
【請求項４】
前記制御手段が、報知イベントに対応付けられている第一の音を前記報知手段から発音させている間に、前記報知イベントの優先度に比べて低い優先度の報知イベントが検出された場合、
前記制御手段は、前記第一の音を予め設定されている発音時間、前記報知手段から発音させた後に、前記低い優先度の報知イベントに対応付けられている第二の音を発音するように前記報知手段を制御することを特徴とする請求項１に記載の放射線撮影装置。
【請求項５】
前記制御手段は、前記第一の音の発音完了後、前記第二の音の発音開始前に、前記報知手段を無音に制御することを特徴とする請求項４に記載の放射線撮影装置。
【請求項６】
前記制御手段は、前記第一の音に対応付けられている前記報知イベントの種類に基づいて、前記報知手段を無音にする無音時間の設定を変更することを特徴とする請求項５に記載の放射線撮影装置。
【請求項７】
前記制御手段は、前記第一の音に対応付けられている前記報知イベントの種類と、前記第二の音に対応付けられている前記報知イベントの種類との組合せに基づいて、前記報知手段を無音にする無音時間の設定を変更することを特徴とする請求項５または６に記載の放射線撮影装置。
【請求項８】
報知イベントの情報を記憶する記憶手段を更に備え、
前記第一の音を前記報知手段から発音させている間に、前記低い優先度の報知イベントが検出された場合、前記制御手段は、前記低い優先度の報知イベントの情報を前記記憶手段に記憶することを特徴とする請求項４乃至７のいずれか１項に記載の放射線撮影装置。
【請求項９】
前記制御手段は、前記第一の音の発音完了後、前記記憶手段に記憶されている報知イベントの情報を取得し、前記取得した報知イベントの情報に対応付けられている第二の音を発音するように前記報知手段を制御する請求項８に記載の放射線撮影装置。
【請求項１０】
前記画素アレイから信号の読み出しを行う読出し期間中に、前記検出手段により報知イベントが検出された場合、前記制御手段は、前記読出し期間を発音制限期間として設定し、前記報知手段からの発音を制限することを特徴とする請求項１乃至９のいずれか１項に記載の放射線撮影装置。
【請求項１１】
前記画素アレイから信号の読み出しを行う期間には、放射線未照射の状態における補正用の画像データと、放射線照射後の放射線画像データとを得るために、前記画素アレイから画像信号を読み出す期間が含まれることを特徴とする請求項１０に記載の放射線撮影装置。
【請求項１２】
前記発音制限期間には、前記補正用の画像データと、前記放射線画像データとをデジタル化する期間が含まれることを特徴とする請求項１１に記載の放射線撮影装置。
【請求項１３】
前記放射線撮影装置の状態には、放射線撮影処理を開始する状態が含まれることを特徴とする請求項１乃至１２のいずれか１項に記載の放射線撮影装置。
【請求項１４】
前記放射線撮影装置の状態には、放射線照射を検知するための照射検知可能時間が基準値よりも少なくなっている状態が含まれることを特徴とする請求項１乃至１３のいずれか１項に記載の放射線撮影装置。
【請求項１５】
画像データを記憶する画像記憶手段を更に備え、
前記放射線撮影装置の状態には、前記画像記憶手段に記憶され、外部の装置に対して未転送の画像データが存在する状態を含むことを特徴とする請求項１乃至１４のいずれか１項に記載の放射線撮影装置。
【請求項１６】
撮影を行うための操作設定を受け付ける操作手段を更に備え、
前記放射線撮影装置の状態には、前記操作手段による操作設定に基づく前記放射線撮影装置の設定が変更された状態を含むことを特徴とする請求項１乃至１５のいずれか１項に記載の放射線撮影装置。
【請求項１７】
前記放射線撮影装置の状態には、前記放射線撮影装置の撮影モードが変更された状態が含まれることを特徴とする請求項１乃至１６のいずれか１項に記載の放射線撮影装置。
【請求項１８】
放射線に応じた信号を生成するための画素アレイを備えた放射線検出手段と、発音による報知を行う報知手段とを有する放射線撮影装置の制御方法であって、
前記放射線撮影装置の状態に応じて発生する複数の報知イベントを検出する工程と、
前記複数の報知イベントのそれぞれに設定されている優先度に基づいて、前記報知手段による報知を制御する工程と、
を有することを特徴とする放射線撮影装置の制御方法。
【請求項１９】
コンピュータに、請求項１８に記載の放射線撮影装置の制御方法の各工程を実行させるためのプログラム。
【発明の詳細な説明】
【技術分野】
【０００１】
本発明は放射線撮影装置、放射線撮影装置の制御方法、プログラムに関する。
【背景技術】
【０００２】
一般に、放射線発生源から発せられたＸ線を被写体へと照射し、その被写体を透過したＸ線の強度分布を検出して画像へと変換する放射線撮影装置または該装置を含んだ放射線撮影システムが製品化されている。
【０００３】
放射線撮影装置には、その動作状態をユーザに通知するための報知機能が設けられている場合がある。報知機能の具体例としては、光や音を用いたものが挙げられる。特許文献１では、ＬＥＤや電球等の発光部品やスピーカ等の発音部品を搭載または接続することで報知機能を実現したＸ線撮影装置が提案されている。
【先行技術文献】
【特許文献】
【０００４】
【特許文献１】特開２００５−０１３２７２号公報
【発明の概要】
【発明が解決しようとする課題】
【０００５】
報知機能として発音部品を使用した場合、複数の音を発音するタイミングが重なった場合に、ユーザが、報知による複数の音を識別できずに聞き間違えたり、聞き逃したりする場合がある。このような場合、結果として、ユーザは、放射線撮影装置の状態を認識することができず、再撮影などの手間が生じる可能性が生じ得る。
【課題を解決するための手段】
【０００６】
本発明の一態様による放射線撮影装置は、放射線に応じた信号を生成するための画素アレイを備えた放射線検出手段と、発音による報知を行う報知手段とを有する放射線撮影装置であって、
前記放射線撮影装置の状態に応じて発生する複数の報知イベントを検出する検出手段と、前記複数の報知イベントのそれぞれに設定されている優先度に基づいて、前記報知手段による報知を制御する制御手段と、を備えることを特徴とする。
【発明の効果】
【０００７】
本発明によれば、報知による音の聞き間違えや聞き逃しを低減することが可能になる。
【図面の簡単な説明】
【０００８】
【図１】実施形態における放射線画像撮影システムの構成例を示す図。
【図２】放射線撮影装置の構成概略を示す図。
【図３Ａ】報知イベントの一例を示す図。
【図３Ｂ】発音制御を例示的に説明する図。
【図３Ｃ】発音制御を例示的に説明する図。
【図４】放射線撮影装置による発音制御の流れを説明する図。
【図５Ａ】優先度の低い報知イベントを発音中に、優先度の高い報知イベントが発生した際の報知処理のシーケンスを示す図。
【図５Ｂ】優先度の高い報知イベントを発音中に、優先度の低い報知イベントが発生した際の報知処理のシーケンスを示す図。
【発明を実施するための形態】
【０００９】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。本明細書において、放射線は、Ｘ線に限らず、例えば、電磁波やα線、β線、γ線などであってもよい。
【００１０】
（放射線撮影システム１００の構成）
図１は、実施形態における放射線撮影システム１００の構成例を示す図である。図１に示すように、放射線撮影システム１００は、放射線撮影装置１０１、情報処理装置１０２、アクセスポイント１０３、ＨＵＢ１０４、撮影制御装置１０５、および放射線発生装置１０６を有する。放射線撮影装置１０１は、被写体Ｈを透過した放射線１０７に基づき放射線画像を撮影する。放射線撮影装置１０１は、可搬型の放射線撮影装置で構成されている。
【００１１】
情報処理装置１０２は、放射線撮影装置１０１で撮影された放射線画像を、情報処理装置１０２の表示部１０９に表示する表示制御や、操作部１１５を介して入力された撮影モードに基づく撮影指示を出力することが可能である。また、情報処理装置１０２は、放射線撮影装置１０１で撮影された放射線画像に対して画像処理を行い画像処理された放射線画像を表示部１０９に表示させることも可能である。
【００１２】
アクセスポイント１０３は、無線通信機器と接続する電波中継装置である。アクセスポイント１０３および放射線撮影装置１０１は無線通信により通信可能に構成されている。ＨＵＢ１０４は、複数のネットワーク機器を接続する通信接続装置であり、放射線撮影装置１０１は、アクセスポイント１０３、およびＨＵＢ１０４を介して情報処理装置１０２と接続可能である。
【００１３】
撮影制御装置１０５は無線通信または有線通信を媒介とした通信回路を有しており、撮影制御装置１０５は、ＨＵＢ１０４、放射線撮影装置１０１および放射線発生装置１０６と接続可能である。また、撮影制御装置１０５は、ＨＵＢ１０４を介して情報処理装置１０２と接続可能である。撮影制御装置１０５は、通信回路を介して、放射線撮影装置１０１および放射線発生装置１０６の状態を示す情報を取得して各装置の状態を監視する。また、撮影制御装置１０５は、情報処理装置１０２から出力された撮影指示に基づいて、放射線発生装置１０６および放射線撮影装置１０１を制御する。
【００１４】
放射線発生装置１０６は、例えば、Ｘ線等の放射線１０７を発生させるために、電子を高電圧で加速して陽極に衝突させる放射線管とロータとを有しており、撮影制御装置１０５の制御に基づいて、放射線発生装置１０６は放射線１０７を照射する。尚、放射線１０７は、α線、β線、γ線、Ｘ線のいずれでもよい。撮影制御装置１０５の制御に基づいて、放射線撮影装置１０１は放射線１０７が照射された被写体Ｈの撮影を行う。ＬＡＮ１０８は、例えば、病院内に構築されたローカル・エリア・ネットワークである。ＬＡＮ１０８を介して、放射線撮影システム１００は、放射線情報システム(ＲＩＳ)、病院情報システム(ＨＩＳ)、画像保存通信システム(ＰＡＣＳ)と接続することが可能である。
【００１５】
図１に示す放射線撮影システム１００において、撮影制御装置１０５の制御により、放射線発生装置１０６は放射線１０７を照射し、放射線発生装置１０６から照射された放射線１０７は患者である被写体Ｈに照射される。撮影制御装置１０５の制御により、放射線撮影装置１０１は、放射線１０７の照射と同期したタイミングで被写体Ｈを透過した放射線１０７を検出して、検出結果に基づいて放射線画像を生成する。
【００１６】
放射線撮影システム１００は、同期撮影と非同期撮影により撮影を行うことが可能である。ここで、同期撮影は、放射線撮影装置１０１と放射線発生装置１０６との間で撮影タイミングを合わせるための電気的な同期信号などをやり取りする撮影であり、撮影タイミングを合わせるとは、放射線発生装置１０６による放射線の照射のタイミングと、放射線撮影装置１０１の放射線検出部２０が電荷を蓄積させる期間とを合わせることを示す。また、非同期撮影は、撮影制御装置１０５を設けずに、放射線撮影装置１０１と放射線発生装置１０６との間で同期信号をやりとりせず、放射線撮影装置１０１自身が放射線の入射を検知し電荷の蓄積を開始する撮影である。
【００１７】
放射線撮影装置１０１は、放射線１０７を検出する画素アレイの構成において、例えば、放射線の検出用の画素を有している。画素アレイにより構成される放射線検出部２０（図２）は、照射された放射線の検知に基づいて、放射線画像の取得を開始する。放射線撮影装置１０１の放射線検出部２０は、放射線発生装置１０６から放射線１０７が照射されると、放射線の検出用の画素の検出結果に基づいて、自動的に画像信号（電荷）の蓄積を行って放射線画像を生成する自動検出モードで動作可能である。
【００１８】
放射線撮影システム１００の構成において、撮影制御装置１０５が設けられていない場合であっても、放射線発生装置１０６から放射線１０７が照射されると、放射線撮影装置１０１は、自動検出モードで動作して、自動的に画像信号（電荷）の蓄積を行って放射線画像を生成可能である。放射線撮影装置１０１は、非同期撮影において、撮影毎に放射線画像を情報処理装置１０２に転送してもよいし、撮影した画像を、撮影毎に転送せずに、画像記憶部１９に記憶しておいてもよい。
【００１９】
本実施形態の放射線撮影装置１０１の構成では、撮影した画像が転送されずに画像記憶部１９に記憶されたことを、報知イベント検出部１４（図２）が検出すると、制御部１３が、ユーザ（撮影者または操作者）に報知するために、報知部１２を制御して発音させてもよい。また、未転送の画像データが所定の枚数分（所定の記憶容量）、画像記憶部１９に記憶され、画像記憶部１９が画像データを記憶可能な記憶容量の上限に近づいたことを報知イベント検出部１４が検知すると、制御部１３が、ユーザに報知するために、報知部１２を制御して発音させてもよい。放射線撮影装置１０１が、所定の報知イベントに基づきユーザに報知することで、例えば、放射線撮影装置１０１から情報処理装置１０２への転送操作忘れを抑制することができる。また、画像記憶部１９が画像を記憶可能な記憶容量の上限に近づいたことを事前に報知することにより、画像記憶部１９の記憶容量を超えた状態での画像記憶動作を抑制することができる。すなわち、画像記憶部１９の記憶容量内において、撮影した画像を画像記憶部１９に確実に記憶することが可能になる。
【００２０】
放射線撮影システム１００は、複数の撮影モードで撮影を実行可能である。ここで、複数の撮影モードは、第一の撮影モードと、第二の撮影モードと、第三の撮影モードと、を少なくとも有する。
【００２１】
第一の撮影モードは、同期撮影による放射線撮影装置１０１の撮影モードであり、放射線撮影装置１０１と情報処理装置１０２の間の通信が、有線あるいは無線での通信が可能な状態で撮影を行う撮影モードである。第一の撮影モードでは、放射線撮影システム１００の構成において、情報処理装置１０２によって、放射線撮影装置１０１と放射線発生装置１０６との間で撮影タイミングを合わせるための電気的な同期信号などをやり取りすることにより、放射線撮影装置１０１と放射線発生装置１０６との間の協調動作により撮影が実行される。
【００２２】
第二の撮影モードは、非同期撮影による放射線撮影装置１０１の撮影モードであり、且つ、撮影毎に情報処理装置１０２に放射線画像を転送する撮影モードである。第二の撮影モードは、放射線撮影装置１０１と情報処理装置１０２の間の通信が、有線あるいは無線での通信が可能な状態で撮影を行う撮影モードである。第二の撮影モードでは、放射線撮影システム１００の構成において、撮影制御装置１０５を設けずに、放射線撮影装置１０１と放射線発生装置１０６との間で同期信号をやりとりせず、放射線撮影装置１０１自身が放射線の入射を検知すると、放射線撮影装置１０１が自動的に画像信号（電荷）の蓄積を行って放射線画像を生成し、撮影毎に生成した放射線画像を情報処理装置１０２に転送する。第一の撮影モードおよび第二の撮影モードにおいて、放射線撮影装置１０１は、取得した放射線画像を、撮影毎に情報処理装置１０２に転送するための制御を行う。情報処理装置１０２は、転送された放射線画像を表示部１０９に表示させることが可能である。
【００２３】
また、第三の撮影モードは、非同期撮影による放射線撮影装置１０１の撮影モードであり、且つ、撮影毎に放射線画像を転送しない撮影モードである。第三の撮影モードは、例えば、放射線撮影装置１０１と情報処理装置１０２の間の通信が、有線あるいは無線での通信不能な状態で撮影を行う撮影モードである。放射線撮影装置１０１は、取得した放射線画像を、撮影毎に情報処理装置１０２に転送せず画像記憶部１９に蓄積しておき、例えば、通信可能な所定のタイミングで、画像記憶部１９に記憶した画像をまとめて情報処理装置１０２に転送することが可能である。第三の撮影モードでは、放射線撮影システム１００の構成において、撮影制御装置１０５、情報処理装置１０２、アクセスポイント１０３、ＨＵＢ１０４が存在しない構成であっても、放射線撮影装置１０１は撮影を行うことが可能である。すなわち、放射線撮影装置１０１が情報処理装置１０２等から独立した状態で複数枚の放射線画像をまとめて撮影可能である。
【００２４】
この場合、放射線撮影装置１０１と情報処理装置１０２は、撮影毎に画像や撮影プロトコルの情報の通信を行わなくても、放射線撮影装置１０１単独で放射線画像を取得することができる。放射線撮影装置１０１は、撮影毎に情報処理装置１０２と通信を行わず、撮影された放射線画像を画像記憶部１９に記憶することで、効率よく撮影を行うことが可能になる。
【００２５】
（放射線撮影装置１０１の構成）
図２は、本実施形態の放射線撮影装置１０１の構成例を示す図である。放射線撮影装置は、放射線に応じた信号を生成するための画素アレイを備えた放射線検出部２０と、発音による報知を行う報知部１２とを有する。放射線検出部２０は、被写体Ｈを透過した放射線１０７を画像信号（電荷）として検出する。図２に示すように、放射線検出部２０には、入射光に応じた信号を出力する画素２００がアレイ状（二次元の領域）に配置されている。各画素２００の光電変換素子は蛍光体により変換された光を電気信号である画像信号（電荷）に変換し、各画素２００のキャパシタが蓄積を行う。このように、放射線検出部２０は被写体Ｈを透過した放射線１０７を検出して、画像信号（電荷）を取得するように構成されている。
【００２６】
図２に示すように、駆動部１７は、全体制御部１からの指示に従って、信号線１２１を介して行ごとに画素２００に駆動信号を供給する。駆動部１７によって、或る行の画素２００に駆動信号が供給されると、画素２００のスイッチ素子２０２が順次オン（ＯＮ）状態になり、光電変換素子により変換された画像信号（電荷）が蓄積される。また、読出部１６は、全体制御部１からの指示に従って、画素２００から信号線１２２に出力された画像信号（電荷）を列ごとに読み出す。読出部１６は、画素２００から読み出した画像信号（電荷）を、アナログ／デジタル（Ａ／Ｄ）変換部７（以下、Ａ／Ｄ変換部７）を介して、全体制御部１に出力する。
【００２７】
Ａ／Ｄ変換部７は、読出部１６によって画素２００から読みだされたアナログ信号の画像信号を、デジタル信号の画像信号に変換し、全体制御部１に出力する。全体制御部１は、放射線撮影装置１０１の動作の全体的な制御を行う制御部として機能し、デジタル画像信号から放射線画像を生成する。全体制御部１は、生成した放射線画像を画像記憶部１９に記憶することが可能である。例えば、放射線撮影装置１０１が、有線通信または無線通信により、情報処理装置１０２と接続した場合、全体制御部１は画像記憶部１９に記憶されている放射線画像を取得して、通信部２を介して情報処理装置１０２に送信することが可能である。情報処理装置１０２は、放射線撮影装置１０１から受信した情報を蓄積し、処理することが可能である。また、情報処理装置１０２は、放射線撮影装置１０１から受信した情報を情報処理装置１０２の表示部１０９に表示する表示制御を行うことが可能である。
【００２８】
操作部６は、撮影を行うための操作設定を受け付けるのに用いられる。操作部６の実装方法に特に制限は無く、ユーザからの入力を受け付けられる構成であればよい。具体的には、操作部６は、ユーザが手で操作する各種スイッチ、タッチパネルなどによって実現することが可能である。ここで、撮影を行うための操作には、例えば、放射線撮影装置を構成する各構成部への電力供給を開始する操作や情報処理装置１０２と通信しながら撮影を行うモード切り替え操作などが含まれる。報知イベント検出部１４は、操作部６の操作を検出し、制御部１３に放射線撮影装置１０１の状態に関する報知イベントが発生したことを通知する。
【００２９】
通信部２は、有線通信または無線通信により、情報処理装置１０２及び撮影制御装置１０５と通信を行うことが可能である。図２において、通信部２と情報処理装置１０２及び撮影制御装置１０５との間の実線は有線通信を示し、破線は無線通信を示している。また、通信部２は、図１に示したアクセスポイント１０３と無線通信を行うことも可能である。
【００３０】
電源制御部３は、バッテリ部４および外部電源５からの電圧を所定の電圧に変換し、放射線撮影装置１０１の各構成部への電圧供給（電力供給）を制御する。電源制御部３は、バッテリ部４または外部電源５からの電圧供給（電力供給）の制御や、バッテリ部４の電池残量の監視を行うことが可能である。バッテリ部４は、電源制御部３の制御に基づいてバッテリから所定の電圧を供給し、電源制御部３を介して、放射線撮影装置１０１の各部に所定の電圧を供給することが可能である。バッテリ部４は、例えば、リチウムイオン電池、電気二重層コンデンサを用いて構成することが可能である。また、外部電源５は、外部の電源から所定の電圧を供給し、電源制御部３を介して、放射線撮影装置１０１の各部に所定の電圧を供給することが可能である。
【００３１】
電源ボタン１１は、電源からの電圧供給の開始・停止を切り替えるための操作部である。例えば、外部電源５が接続されていない場合、電源ボタン１１の操作により、バッテリ部４からの電圧供給のオン・オフを切り替えることが可能である。また、外部電源５が接続されている場合には、電源ボタン１１の操作により、外部電源５からの電圧の供給のオン・オフを切り替えることが可能である。電源ボタン１１は、例えば、放射線撮影装置１０１の各構成部へ電力供給の開始・停止を行う機器、制御回路、プログラムの機能によって構成することが可能である。電源ボタン１１は、例えば、放射線撮影装置１０１の側面に設けられているが、放射線１０７の入射方向以外の面であれば、放射線撮影装置１０１の筐体のいずれに配置してもよい。尚、電圧供給のオン・オフの切り替えは電源ボタン１１の操作によらず、例えば、電源制御部３は、外部電源５の接続の有無に基づいて、外部電源５からの電圧供給のオン・オフを切り替えてもよい。
【００３２】
報知部１２は、報知イベントの発生をユーザに報知する。例えば、報知部１２は、スピーカなどの音波やバイブレーションなどの振動により報知（発音）を行うものを含む。ユーザは、報知部１２からの報知情報を認識することで、放射線撮影装置１０１の状態を認識することができる。報知部１２は、例えば、放射線撮影装置１０１の側面に設けられているが、放射線１０７の入射方向以外の面であれば、放射線撮影装置１０１の筐体のいずれに配置してもよい。
【００３３】
ここで、放射線撮影装置１０１の状態には、例えば、第一の撮影モード、第二の撮影モード、第三の撮影モードのいずれかの撮影モードに切り替わった状態などを含んでもよい。また、放射線撮影装置１０１の状態には、報知部１２から発音される音量などの物理量が変更された状態でもよい。撮影モードの切り替えや音量などの物理量の変更は、電源ボタン１１を介した変更操作（例えば、ダブルクリック）、または、操作部６のように電源ボタン１１とは別の操作部を介した変更操作により行うことが可能である。また、撮影モードの切り替えや音量などの物理量の変更は、放射線撮影装置１０１と情報処理装置１０２との間における無線通信や有線通信による操作で行うことも可能である。
【００３４】
全体制御部１は、機能構成として、放射線撮影装置の状態に応じて発生する複数の報知イベントを検出する報知イベント検出部１４と、複数の報知イベントのそれぞれに設定されている優先度に基づいて、報知部１２による報知を制御する制御部１３とを有しており、これらの機能構成は、例えば、不図示のＣＰＵ（central processing unit）、メモリから読み込んだプログラムを用いて、各部の機能が構成される。制御部１３および報知イベント検出部１４の各部の構成は、同様の機能を果たすのであれば、それらは集積回路などで構成してもよい。
【００３５】
全体制御部１の報知イベント検出部１４は、放射線撮影装置の状態によって発生する報知イベントを検出する機能を有する。報知イベント検出部１４は、放射線撮影装置１０１の状態（状態変化）によって発生する報知イベントを検出すると、検出した報知イベントを制御部１３に通知する。例えば、報知イベント検出部１４は、全体制御部１におけるプログラムの割り込み信号を検出し、制御部１３へ通知する。制御部１３は割り込み要因の解析により発生した報知イベントを判断し、報知イベント記憶部１５に記憶されている優先度等の情報に応じて報知部１２を制御する。報知イベント検出部１４の構成は、この例に限定されるものではなく、ＧＰＩＯ（General Purpose input/Output）などの電気信号（HIGH/LOW）の参照や、ＯＳ（Operating System）などで提供されているイベントフラグで報知イベントを検出するなどソフトウェアによる処理で実現してもよい。
【００３６】
報知イベント記憶部１５は、報知イベント検出部１４によって検出された報知イベントを、制御部１３の制御の下に記憶する機能を有する。報知イベント記憶部１５は、読み書きが行える機器により構成することが可能であり、例えば、フラッシュメモリなどの不揮発性メモリを用いることが可能である。報知イベント記憶部１５の構成は、例えば、ＳＤＲＡＭ(Synchronous  Dynamic  Random  Access  Memory)のような揮発性の記憶機器でもよい。
【００３７】
図３Ａは、報知イベントの一例を示す図である。報知イベントの種類として、放射線撮影処理を開始（撮影処理開始）する状態、放射線照射を検知するための照射検知可能時間が基準値よりも少なくなっている状態、放射線照射検知開始、撮影モードの切り替え、外部の装置（情報処理装置１０２等）に対して未転送の画像データが存在する状態（未転送画像有り）、音量変更などが設定されている。報知イベントの種類は、この例に限定されるものではなく、例えば、操作部６による操作設定に基づく放射線撮影装置１０１の設定が変更された状態も含まれる。
【００３８】
報知イベントの各種類について、優先度、メロディの種類（メロディ１、２、・・・）、発音時間（Ｔ１、Ｔ２・・・）等が対応付けられている。報知イベント記憶部１５は、例えば、図３Ａに示すように、報知イベントの種類、発音の種類（メロディの種類）、報知イベントに対応した優先度等を記憶することが可能である。尚、優先度等の記憶保持方法としては、報知イベント記憶部１５に限定されず、制御部１３の不図示のＲＯＭや制御プログラム内に予め設定しておくことが可能である。ここで、優先度は、即座に発音すべき報知イベントか、他の報知イベントが同時に発生したときに、どの報知イベントを優先して音を鳴らすかなどを判断するための情報である。
【００３９】
制御部１３は、報知イベント記憶部１５または制御部１３内のＲＯＭや制御プログラム内の設定等を参照することにより、報知イベント検出部１４で検出された報知イベントに対応付けられている優先度、発音の種類（メロディの種類）等を特定し、特定した結果に基づいて、報知部１２を制御することが可能である。制御部１３は、報知イベント記憶部１５に記憶されている複数の報知イベントについて、記憶された時系列順に、各報知イベントに対応する音（メロディ）を報知部１２に発音させるように制御することが可能である。
【００４０】
あるいは、制御部１３は、報知イベント記憶部１５に記憶されている複数の報知イベントの優先度に基づいて、報知部１２の発音を制御することが可能である。複数の報知イベントが発生した場合、制御部１３は、それぞれの報知イベントの優先度を判定し、優先度の判定結果に基づいて、報知部１２を制御する。制御部１３は、各報知イベントの優先度に基づいて、報知イベントの発音順、発音間隔、発音音量、発音時間などの発音制御を実行することが可能である。例えば、同時に、または、発音期間が重複するタイミングで、複数のイベントが発生した場合に、制御部１３は、それぞれの報知イベントに設定されている優先度に基づいて、各報知イベントに対応している発音（メロディ）を発生させるように、報知部１２を発音制御することが可能である。
【００４１】
報知イベントの種類によって優先度を割り振り、報知イベントに対してメロディ(発音の周波数、音の長さ、減衰のさせ方などの音に関するパラメータを含む)を対応づけておくことで、報知イベントが検出された際に、制御部１３は、検出された報知イベントに対応する発音の種類（メロディ）および優先度を特定し、報知部１２にメロディを発音させるように発音制御を行うことが可能となる。
【００４２】
例えば、放射線撮影装置１０１が放射線１０７の照射を検知したことなど、撮影中の処理に関わる報知イベントの優先度を高くするように優先度を設定することができる。こうすることで、ユーザは、放射線が発生しうる可能性が高いときの放射線撮影装置１０１の状態を迅速かつ的確に把握しやすくなる。優先度の設定例としては、この他、ユーザに対する警告や注意を促す報知イベントについては優先度を高く設定し、入力確認等の報知イベントについては、警告や注意を促す報知イベントの優先度に比べて低い優先度を設定することが可能である。
【００４３】
図３Ｂは、制御部１３による発音制御を例示的に説明する図である。横軸は時間の経過を示し、縦軸はメロディの発音音量を例示的に示している。尚、縦軸のパラメータとして発音音量の代わりにメロディの周波数を用いることが可能である。制御部１３が、報知イベントに対応付けられている第一の音（メロディＡ）を報知部１２から発音させている間に、当該報知イベントの優先度に比べて高い優先度の報知イベントが検出された場合、制御部１３は、第一の音（メロディＡ）の発音の発音時間を、予め設定されている発音時間よりも短くするように報知部１２を制御する。すなわち、制御部１３は、予め設定されている発音時間の途中で第一の音（メロディＡ）の発音を終了させて、高い優先度の報知イベントに対応付けられている第二の音（メロディＢ）を発音するように報知部１２を制御する。
【００４４】
図３Ｂ（ａ）に示す例では、優先度の低い設定の報知イベントＡが発生してメロディＡが報知部１２により発音されている状態を示している。報知イベントＡに対応するメロディＡの通常時の発音時間はＴａである。図３Ｂ（ｂ）の示す例では、メロディＡの発音途中のタイミングＴｂにおいて、報知イベントＡに比べて優先度の設定が高い報知イベントＢが発生してメロディＢが報知部１２により発音されている状態を示している。報知イベントＢに対応するメロディＢの通常時の発音時間はＴｃである。低い優先度の報知イベント（報知イベントＡ）の音（メロディＡ）を報知部１２から発音させている間に、報知イベントＡの優先度に比べて高い優先度の報知イベント（報知イベントＢ）が発生した場合、制御部１３は、低い優先度の報知イベントＡの音（メロディＡ）の発音を途中（Ｔｂ）で終了させて、優先度の高い報知イベントＢの音（メロディＢ）に切り替えて発音するように報知部１２を制御する。メロディＢの発音時間Ｔｃが経過した後において、報知イベントＡに対応するメロディＡは報知部１２から発音されず、制御部１３による発音制御は終了する。
【００４５】
図３Ｃは、制御部１３による発音制御を例示的に説明する図である。図３Ｂと同様に横軸は時間の経過を示し、縦軸はメロディの発音音量を例示的に示している。縦軸のパラメータとして発音音量の代わりにメロディの周波数を用いることが可能である。制御部１３が、報知イベントに対応付けられている第一の音（メロディＡ）を報知部１２から発音させている間に、当該報知イベントの優先度に比べて低い優先度の報知イベントが検出された場合、制御部１３は、第一の音（メロディＡ）を予め設定されている発音時間、報知部１２から発音させた後に、低い優先度の報知イベントに対応付けられている第二の音（メロディＢ）を発音するように報知部１２を制御する。制御部１３は、第一の音（メロディＡ）の発音完了後、第二の音（メロディＢ）の発音開始前に、報知部１２を無音に制御する。
【００４６】
図３Ｃ（ａ）に示す例では、優先度の高い設定の報知イベントＢが発生してメロディＢが報知部１２により発音されている状態を示している。報知イベントＢに対応するメロディＢの通常時の発音時間はＴｃである。図３Ｃ（ａ）は、メロディＢの発音途中のタイミングＴｂにおいて、報知イベントＢに比べて優先度の設定が低い報知イベントＡが発生した状態を示している。メロディＢの発音途中で優先度の設定が低い報知イベントＡが発生しても、制御部１３は、メロディＢの発音を途中で終了することなく、通常時の発音時間Ｔｃまで発音するように報知部１２を制御する。メロディＢを報知部１２から発音させている間に、低い優先度の報知イベントが検出された場合、制御部１３は、低い優先度の報知イベントＡを報知イベント記憶部１５に記憶する。
【００４７】
図３Ｃ（ｂ）の示す例では、メロディＢの発音終了後、無音期間Ｔｍが設定されている。制御部１３は、無音期間Ｔｍの経過後に、報知イベント記憶部に記憶されている報知イベントＡを取得し、取得した報知イベントＡに対応付けられているメロディＡを発音するように報知部１２を制御する。報知イベントＡに対応するメロディＡの通常時の発音時間はＴａである。メロディＡの発音終了後、制御部１３による発音制御は終了する。
【００４８】
図３Ｃに示すように、高い優先度の報知イベント（報知イベントＢ）の音（メロディＢ）を報知部１２から発音させている間に、報知イベントＢの優先度に比べて低い優先度の報知イベント（報知イベントＡ）が発生した場合、制御部１３は、優先度の高い報知イベントＢのメロディＢが鳴りきってから、優先度の低い報知イベントＡの音（メロディＡ）に切り替えて発音するように報知部１２を制御する。この場合、制御部１３は、高い優先度の報知イベントＢの音（メロディＢ）の発音を途中で終了させることなく、予め設定されている発音時間Ｔｃ、報知部１２から発音させた後に、優先度の低い報知イベントＡの音（メロディＡ）に切り替えて発音するように報知部１２を制御する。高い優先度から低い優先度に切り替える際に、制御部１３は、報知部１２による優先度の高い報知イベントＢの発音完了後（発音時間Ｔｃの経過後）、ユーザが無音になったことを認識できる程度の時間（無音時間Ｔｍ）、無音にしてから、優先度の低い報知イベントＡの音（メロディＡ）に切り替えるように報知部１２を制御する。制御部１３は、優先度の高い報知イベントＢの種類に応じて、無音時間（Ｔｍ）を変更することが可能である。あるいは、制御部１３は、優先度の高い報知イベントＢと優先度の低い報知イベントＡとの組合せに基づいて、無音時間（Ｔｍ）を変更することが可能である。
【００４９】
低い優先度の報知イベントの発音（メロディ）から高い優先度の報知イベントの発音（メロディ）へ切り替える場合の発音制御によれば（図３Ｂ）、ユーザは優先度の高い発音（メロディ）を即座に聞くことができ、優先度の高い報知イベントの発生を出来るだけ早いタイミングで確認することが可能になる。また、高い優先度の報知イベントの発音（メロディ）から低い優先度の報知イベントの発音（メロディ）へ切り替える場合の発音制御によれば（図３Ｃ）、無音時間を設けることにより、報知部１２から発音される高い優先度の報知イベントの発音と低い報知イベントの発音との区別を明確にすることができる。優先度の高い報知イベントＢの種類や報知イベントの組合せ（Ｂ，Ａ等）に基づいて、無音時間の設定を変えることにより、ユーザにおける報知イベントの認識効果を高めることが可能になる。
【００５０】
読出部１６が、全体制御部１からの指示に従って、画素２００から信号線１２２に出力された画像信号（電荷）を読み出す際に、読み出し期間中の発音を避けるために、制御部１３は、読み出し期間中に検出された報知イベントを報知イベント記憶部１５に記憶して、発音開始を遅らせるように制御することも可能である。読み出し期間は画像生成に必要な非常に少量の電荷を取り出す期間であり、報知部１２の発音部（スピーカ）におけるコイルの駆動などにより発生した電磁気の影響を受けないようにするため、制御部１３は、読出部１６による読み出し期間中の発音を制限（禁止）する期間（発音制限期間）を設定し、制御部１３は、報知部１２からの発音を制限するように制御を行う。すなわち、画素アレイから信号の読み出しを行う読出し期間中に、報知イベント検出部１４により報知イベントが検出された場合、制御部１３は、読出し期間を発音制限期間として設定し、報知部１２からの発音を制限する。
【００５１】
読み出し期間には、読出部１６が各画素２００から各信号線１２２に出力された画像信号（電荷）を読み出す期間（時間）と、読出部１６によって画素２００から読みだされたアナログ信号の画像信号をＡ／Ｄ変換部７が増幅し、デジタル化する期間（時間）と、が含まれる。すなわち、発音制限期間には、補正用の画像データと、放射線画像データとをデジタル化する期間が含まれる。尚、発音制限期間の設定は、この例に限定されるものではなく、画像にノイズやアーチファクトが生じる得る状態（報知イベント）に対して、発音制限期間を設定して、発音開始を遅らせるように制御することも可能である。
【００５２】
放射線撮影装置１０１が、１枚の画像を生成するために、補正用の画像データと放射線照射後の放射線画像データを取得する場合には、それぞれの画像データを取得するための読み出し期間が発音制限期間として設定されることになる。補正用の画像データとは、例えば、放射線未照射の状態において放射線検出部２０の画像アレイから取得される画像である。また、制御部１３は、撮影モードによって発音制限期間を設定することが可能である。例えば、第一の撮影モードや第二の撮影モードのように情報処理装置１０２を使用して撮影を行う場合は、放射線撮影装置１０１の状態を報知部１２による発音以外の構成で報知することが可能である。ある一つの報知イベントの検出に応じて、放射線撮影装置１０１および情報処理装置１０２の双方で音を発生させると、一つの報知イベントに対して重複した報知になり得る。このような場合、制御部１３は、放射線撮影装置１０１における発音を制限するように発音制限期間を設定することが可能である。
【００５３】
次に、以上のような構成を備えた放射線撮影装置１０１による発音制御について図４のフローチャートを用いて説明する。
【００５４】
まず、ステップＳ１において、報知イベント検出部１４が、報知イベントの発生を監視し、報知イベントが発生していない場合（Ｓ１−Ｎｏ）、報知イベントの発生の監視を継続する。一方、ステップＳ１において、報知イベント（例えば、優先度Ａの報知イベントＡ）の発生を検出した場合（Ｓ１−Ｙｅｓ）、処理はステップＳ２へ進められる。報知イベント検出部１４は、報知イベントＡの検出を制御部１３に通知する。
【００５５】
ステップＳ２において、制御部１３は、優先度の設定Ｂの報知イベントＢに基づく音（メロディ）が発音中であるか否かを判定する。報知イベントＢに基づく音（メロディ）が発音中でない場合（Ｓ２−Ｎｏ）、処理はステップＳ４に進められ、制御部１３は報知イベントＡに基づく音（メロディ）を発音するように報知部を制御する（Ｓ４）。Ｓ２−ＮｏおよびＳ４の処理は、図３Ｂ（ａ）で説明した処理に対応する。
【００５６】
一方、ステップＳ２の判定で、報知イベントＢに基づく音（メロディ）が発音中である場合（Ｓ２−Ｙｅｓ）、処理はステップＳ３に進められる。
【００５７】
ステップＳ３において、制御部１３は、報知イベントＡの優先度と、報知イベントＡよりも前に検出された報知イベントＢの優先度とを比較する。報知イベントＡの優先度が報知イベントＢの優先度よりも高い場合（Ｓ３−Ｙｅｓ）、処理はＳ５に進められ、制御部１３は報知イベントＡに基づく音（メロディ）を発音するように報知部１２を制御する（Ｓ５）。ステップＳ３−Ｙｅｓ、およびステップＳ５の処理は、図３Ｂ（ｂ）で説明した処理に対応する。
【００５８】
一方、ステップＳ３の判定で、報知イベントＡの優先度が報知イベントＢの優先度よりも低い場合（Ｓ３−Ｎｏ）、処理はステップＳ６に進められる。
【００５９】
ステップＳ６において、制御部１３の制御の下、報知イベントＡは、報知イベント記憶部１５に記憶され、処理はステップＳ７に進められる。ステップＳ７において、制御部１３は報知イベントＢに基づく音（メロディ）を発音するように報知部１２を制御する。そして、処理はステップＳ２に戻され、ステップＳ２以降、同様の処理が繰り返される。優先度の高い報知イベントＢの発音が終了するまで、制御部１３は報知イベントＢに基づく音（メロディ）を発音するように報知部１２を制御し、報知イベントＢの発音が終了した後（Ｓ２−Ｎｏ）、処理はステップＳ４に進められ、ステップＳ４において、制御部１３は報知イベントＡに基づく音（メロディ）を発音するように報知部１２を制御する。これにより、報知イベントＡが報知される。ステップＳ３−Ｎｏ、Ｓ６、Ｓ７、Ｓ２−ＮｏおよびステップＳ４の処理は、図３Ｃ（ａ）、（ｂ）で説明した処理に対応する。
【００６０】
図５Ａは、低い優先度の報知イベントＡの音（メロディＡ）を報知部１２から発音させている間に、報知イベントＡの優先度に比べて高い優先度の報知イベントＢが発生した場合における、報知イベント検出部１４、制御部１３、報知イベント記憶部１５、報知部１２の処理シーケンスを示す図である。この処理シーケンスは図３Ｂ（ｂ）で説明した処理に対応するものである。
【００６１】
ＳＤ４０１において、報知イベント検出部１４が、優先度が低い報知イベントＡを検出し、制御部１３へ報知イベントＡの発生を通知する。
【００６２】
次にＳＰ４０１において、制御部１３は、報知イベントＡの優先度と報知部１２で発音中のメロディの優先度などの情報から、報知イベントＡに対応付けられた音（メロディＡ）を発音するように報知部１２を制御する。そして、ＳＡ４０１において、報知部１２は、制御部１３の発音制御に基づいて、メロディＡの発音を行う。
【００６３】
次に、ＳＤ４０２において、報知イベント検出部１４が、報知イベントＡの優先度よりも高い優先度の報知イベントＢを検出すると、報知イベント検出部１４は、制御部１３へ報知イベントＢの発生を通知する。
【００６４】
ＳＰ４０２において、制御部１３は、発音中のメロディＡと対応付けられている報知イベントＡの優先度と報知イベントＢの優先度を比較し、比較結果に基づいて報知部１２を制御する。低い優先度の報知イベントＡのメロディＡを報知部１２から発音させている間に、報知イベントＡの優先度に比べて優先度の高い報知イベントＢが発生した場合、制御部１３は、低い優先度の報知イベントＡのメロディＡの発音を途中で終了させて、優先度の高い報知イベントＢのメロディＢに切り替えて発音するように報知部１２を制御する。
【００６５】
そして、ＳＡ４０２において、報知部１２は、制御部１３の発音制御に基づいて、メロディＢの発音を行う。メロディＢの発音が終わると、ＳＰ４０３において、制御部１３は発音制御を終了させる。
【００６６】
図５Ｂは、高い優先度の報知イベントＢの音（メロディＢ）を報知部１２から発音させている間に、報知イベントＢの優先度に比べて低い優先度の報知イベントＡが発生した場合における、報知イベント検出部１４、制御部１３、報知イベント記憶部１５、報知部１２の処理シーケンスを示す図である。この処理シーケンスは図３Ｃ（ａ）、（ｂ）で説明した処理に対応するものである。
【００６７】
ＳＤ４５１において、報知イベント検出部１４が、優先度が高い報知イベントＢを検出し、制御部１３へ報知イベントＢの発生を通知する。
【００６８】
次にＳＰ４５１において、制御部１３は、報知イベントＢの優先度と報知部１２で発音中のメロディの優先度などの情報から、報知イベントＢに対応付けられた音（メロディＢ）を発音するように報知部１２を制御する。
【００６９】
そして、ＳＡ４５１において、報知部１２は、制御部１３の発音制御に基づいて、メロディＢの発音を行う。
【００７０】
次に、ＳＤ４５２において、報知イベント検出部１４が、報知イベントＢの優先度よりも低い優先度の報知イベントＡを検出すると、報知イベント検出部１４は、制御部１３へ報知イベントＡの発生を通知する。
【００７１】
ＳＰ４５２において、制御部１３が、発音中のメロディＢと対応付けられている報知イベントＢの優先度と報知イベントＡの優先度とを比較し、比較結果に基づいて報知部１２を制御する。
【００７２】
ＳＭ４５１において、報知イベントＡの優先度が報知イベントＢの優先度よりも低い場合、制御部１３の制御の下、優先度の低い報知イベントＡの情報を報知イベント記憶部１５に記憶する。
【００７３】
メロディＢの発音が終わると、ＳＰ４５３において、制御部１３は報知イベント記憶部１５に記憶した報知イベントＡの情報を取得し、ＳＰ４５４において、制御部１３は、報知イベントＡの優先度と報知部１２で発音中のメロディの優先度などの情報から、報知イベントＡに対応付けられたメロディＡを発音するように報知部１２を制御する。
【００７４】
そして、ＳＡ４５２において、報知部１２は、制御部１３の発音制御に基づいて、メロディＡの発音を行う。メロディＡの発音が終わると、ＳＰ４５５において、制御部１３は発音制御を終了させる。
【００７５】
また、メロディ発音中に発生した、報知イベントは、ＦＩＦＯのような手段で報知イベント記憶部１５に記憶されてもよいし、制御部１３は、優先度に基づいて報知イベント記憶部１５内の報知イベントの順番を入れ替えて、報知部１２から発音するように制御することが可能である。
【００７６】
本実施形態によれば、報知による音の聞き間違えや聞き逃しを低減することが可能になる。これにより、ユーザは、放射線撮影装置１０１の状態を正確に認識することが可能になる。これにより、再撮影などの手間を削減し、被写体の無効被ばくを抑制し、効率的な放射線撮影を行うことが可能になる。
【００７７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７８】
１００：放射線撮影システム、１０１：放射線撮影装置、１０２：情報処理装置、１３：制御部、１４：報知イベント検出部、１５：報知イベント記憶部、１９：画像記憶部
【図１】
2018061782.tif 000003
【図２】
2018061782.tif 000004
【図３Ａ】
2018061782.tif 000005
【図３Ｂ】
2018061782.tif 000006
【図３Ｃ】
2018061782.tif 000007
【図４】
2018061782.tif 000008
【図５Ａ】
2018061782.tif 000009
【図５Ｂ】
2018061782.tif 000010